(57)【要約】【課題】  側溝蓋の改修において、新設側溝蓋のレベル調整を容易且つ適切に行うことができる工法の提供。【解決手段】  既設側溝の対向する左側壁及び右側壁の各上部内側に断落ちして形成された左蓋受部及び右蓋受部により支持される側溝蓋の改修工法であって、既設側溝蓋を除去し、該既設側溝蓋よりも薄厚且つ幅狭の新設側溝蓋を用意し、既設側溝の上記対向する左右側壁の上端面間に架橋する吊り下げ治具を上記新設側溝蓋の上面に長手方向に沿って間隔を置いて複数取り付け、上記各吊り下げ治具により上記新設側溝蓋の上面を上記左右側壁の上端面と面一にしつつ当該新設側溝蓋を上記左右蓋受部の立ち上がり面間で吊り下げて支持し、該吊り下げ状態の新設側溝蓋の左端面と上記左蓋受部の立ち上がり面間に画成される空間及び同新設側溝蓋の右端面と上記右蓋受部の立ち上がり面間に画成される空間に充填材を充填し当該新設側溝蓋を固定することを特徴とする。【選択図】  図５
2015108217.tif 000002
【特許請求の範囲】
【請求項１】
既設側溝の対向する左側壁及び右側壁の各上部内側に断落ちして形成された左蓋受部及び右蓋受部により支持される側溝蓋の改修工法であって、以下のＡ乃至Ｅの工程を含む側溝蓋の改修工法。
Ａ：既設側溝蓋を除去する、
Ｂ：上記既設側溝蓋よりも薄厚且つ幅狭の新設側溝蓋を用意する、
Ｃ：既設側溝の上記対向する左右側壁の上端面間に架橋する吊り下げ治具を上記新設側溝蓋の上面に長手方向に沿って間隔を置いて複数取り付ける、
Ｄ：上記各吊り下げ治具により上記新設側溝蓋の上面を上記左右側壁の上端面と面一にしつつ当該新設側溝蓋を上記左右蓋受部の立ち上がり面間で吊り下げて支持する、
Ｅ：上記吊り下げ状態の新設側溝蓋の左端面と上記左蓋受部の立ち上がり面間に画成される空間及び同新設側溝蓋の右端面と上記右蓋受部の立ち上がり面間に画成される空間に充填材を充填し当該新設側溝蓋を固定する。
【請求項２】
既設側溝の上記左右蓋受け部のそれぞれの底面と該各底面と対面する上記新設側溝蓋の下面間にシール材を配設し上記充填材の充填を行うことを特徴とする請求項１記載の側溝蓋の改修工法。
【請求項３】
上記新設側溝蓋の上面にボルト孔を形成し、該ボルト孔に螺合するボルトにより上記吊り下げ治具を取り付けることを特徴とする請求項１又は請求項２の何れかに記載の側溝蓋の改修工法。
【請求項４】
既設側溝の上記左側壁又は／及び上記右側壁の上端面に破損が生じている場合には、該破損している上端面と上記吊り下げ治具の端部下面間に楔を打ち込み上記新設側溝蓋のレベル調整を図ることを特徴とする請求項１乃至請求項３の何れかに記載の側溝蓋の改修工法。
【発明の詳細な説明】
【技術分野】
【０００１】
本発明はコンクリート製の既設側溝に装着されているコンクリート製の側溝蓋の改修工法に関する。
【背景技術】
【０００２】
既設側溝に装着されている側溝蓋は、当該側溝の対向する左側壁及び右側壁のそれぞれの上部内側に断落ちして形成された左蓋受部及び右蓋受部に幅方向（短手方向）の両端部が支持されている状態で上記対向する左右側壁間の開口部を覆っており、荷重や振動が繰り返し加わることにより一部が欠けたり割れたりして、歩行者を危険にさらすと共にガタついて騒音の発生源ともなる。
【０００３】
上記のように劣化した側溝蓋の改修方法としては、既設側溝蓋を新たな側溝蓋に架け替える方法や現場打ちコンクリートにより暗渠化する方法が既知である。
【０００４】
然し乍ら、側溝蓋を新たに架け替えたとしても、荷重や振動により結局は新設した側溝蓋に欠けや割れが生じたり、ガタツキが生じたりする問題を抜本的に解決することはできない。
【０００５】
又現場打ちによる改修方法では、打設したコンクリートが所定の強度まで硬化するためには数日の養生期間を要し、即日使用に供することができない。
【０００６】
そこで、下記特許文献１に示すように、既設側溝の左右蓋受部にモルタル等の充填材を介してコンクリート二次製品たる新設側溝蓋（一次蓋）を固定し、既設側溝と新設側溝蓋とを一体化する改修方法が開発されている。
【先行技術文献】
【特許文献】
【０００７】
【特許文献１】特開２００８−２５５６１２号公報
【発明の概要】
【発明が解決しようとする課題】
【０００８】
上記特許文献１の改修方法によれば、既設側溝の左右蓋受部をそのまま利用して新設側溝蓋を配設し充填材により固定するだけの簡易作業で、短時間で作業を終えることができると共に新設側溝蓋が既設側溝と一体化しガタツキ等を有効に防止することができる利点を有する
【０００９】
然し乍ら、特に既設側溝の蓋受部の底面（新設側溝蓋の支持面）が破損している場合には、新設側溝蓋の下面側でレベル調整を行い、新設側溝蓋の上面と既設側溝の左右側壁の上端面とを面一にする煩雑な作業を要することとなる問題点を有している。
【００１０】
又蓋受部に破損がない場合でも、新設側溝蓋の厚さと除去した既設側溝蓋の厚さとを一致させなければ、新設側溝蓋の上面と既設側溝の左右側壁の上端面とを面一にすることができない問題点がある。
【課題を解決するための手段】
【００１１】
本発明は、上記従来方法の問題点を適切に解決する側溝蓋の改修工法を提供する。
【００１２】
要述すると、本発明に係る改修工法は、既設側溝の対向する左側壁及び右側壁の各上部内側に断落ちして形成された左蓋受部及び右蓋受部により支持される側溝蓋の改修工法であって、以下のＡ乃至Ｅの工程を含み、蓋受部が破損していても容易且つ適切に側溝蓋を改修できる。
Ａ：既設側溝蓋を除去する、
Ｂ：上記既設側溝蓋よりも薄厚且つ幅狭の新設側溝蓋を用意する、
Ｃ：既設側溝の上記対向する左右側壁の上端面間に架橋する吊り下げ治具を上記新設側溝蓋の上面に長手方向に沿って間隔を置いて複数取り付ける、
Ｄ：上記各吊り下げ治具により上記新設側溝蓋の上面を上記左右側壁の上端面と面一にしつつ当該新設側溝蓋を上記左右蓋受部の立ち上がり面間で吊り下げて支持する、
Ｅ：上記吊り下げ状態の新設側溝蓋の左端面と上記左蓋受部の立ち上がり面間に画成される空間及び同新設側溝蓋の右端面と上記右蓋受部の立ち上がり面間に画成される空間に充填材を充填し当該新設側溝蓋を固定する。
【００１３】
ここで、本発明における上記新設側溝蓋は、既述のように、外形が既設側溝蓋よりも薄厚且つ幅狭であり上記吊り下げ治具にて吊り下げることができるものであれば、形状は実施に応じ任意である。即ち本発明における上記新設側溝蓋は、上面に集水用スリットが形成されている側溝蓋、上面に自動車に振動を与えドライバーに警告を促す凸部が形成されている側溝蓋、上面に滑り止め加工が施されている側溝蓋、二次蓋装着用の開口部を備える一次蓋等を含む。
【００１４】
好ましくは、既設側溝の上記左右蓋受け部のそれぞれの底面と該各底面と対面する上記新設側溝蓋の下面間にシール材を配設し上記充填材の充填を行うことにより、該充填材の既設側溝内部への流出を有効に防止する。
【００１５】
又上記新設側溝蓋の上面にボルト孔を形成し、該ボルト孔に螺合するボルトにより上記吊り下げ治具を取り付ける構成とし、該吊り下げ治具の脱着を容易にする。
【００１６】
又既設側溝の上記左側壁又は／及び上記右側壁の上端面に破損が生じている場合には、該破損している上端面と上記吊り下げ治具の端部下面間に楔を打ち込み上記新設側溝蓋のレベル調整を図り、即ち露出している新設側溝蓋の上面側からレベル調整を図り、該レベル調整作業を確実且つ容易に行うことができる。
【発明の効果】
【００１７】
本発明に係る側溝蓋の改修工法にあっては、既設側溝の左右側壁の上端面間に架橋する吊り下げ治具により新設側溝蓋を吊り下げて、該新設側溝蓋のレベル調整を容易且つ適切に行うことができる。
【００１８】
又既設側溝の左右蓋受部の何れか又は双方が破損していても、左右側壁の上端面が健全であれば、適切に改修作業を行うことができる。
【００１９】
仮に上記左右側壁の上端面の何れか又は双方が破損している場合でも、新設側溝蓋の上面側、即ち外方に露出している側から新設側溝蓋のレベル調整を行うことができ、適切に改修作業が行える。
【図面の簡単な説明】
【００２０】
【図１】新設側溝蓋に吊り下げ治具を固定する状態を概示する斜視図。
【図２】（Ａ）は集水用スリットを形成した新設側溝蓋の例を示す斜視図、（Ｂ）は上面に複数の突起を形成した新設側溝蓋の例を示す斜視図、（Ｃ）は上面に小溝を多数形成した新設側溝蓋の例を示す斜視図、（Ｄ）は一次蓋としての新設側溝蓋の例を示す斜視図。
【図３】新設側溝蓋と既設側溝との関係を示す斜視図。
【図４】新設側溝蓋を吊り下げ治具を介して吊り下げ状態にした様子を概示する説明図。
【図５】新設側溝蓋の左端面と既設側溝の左蓋受部の立ち上がり面間の空間及び新設側溝蓋の右端面と既設側溝の右蓋受部の立ち上がり面間の空間に充填材を充填した状態を概示する説明図。
【図６】既設側溝の破損している側壁上端面と吊り下げ治具の下面間に楔を配した状態を概示する説明図。
【図７】新設側溝蓋を固定した後、吊り下げ治具を除去した状態を概示する斜視図。
【発明を実施するための形態】
【００２１】
以下、本発明の最良の形態を図１乃至図７に基づき説明する。
【００２２】
本発明に係る側溝蓋の改修工法は、図３乃至図７に示すコンクリート製の既設側溝１１における改修工法であり、該既設側溝１１は、対向する左側壁１２及び右側壁１３を備え、該左側壁１２の上部内側に断落ちして形成された断面Ｌ字状の左蓋受部１４を有すると共に該右側壁１３の上部内側に断落ちして形成された断面Ｌ字状の右蓋受部１５を有する構成となっている。
【００２３】
換言すると、本発明に係る側溝蓋の改修工法は、上記構成の既設側溝１１の左右蓋受部１４・１５に嵌合して装着されていたコンクリート製の既設側溝蓋に欠けや割れ等の破損が生じた際に、該破損した既設側溝蓋を除去し、代わりにコンクリート製の新設側溝蓋を用いて改修を図る工法である。尚既設側溝１１は現場打ちコンクリートにより形成されたもの及びコンクリート二次製品で形成されたものの双方を含む。
【００２４】
まず、本発明に係る改修工法に使用する新設側溝蓋１について説明する。図１に示す新設側溝蓋１は、既設側溝１１の左右蓋受部１４・１５に嵌合していた既設側溝蓋より薄厚にし且つ幅狭にし成形したコンクリート二次製品で構成する。好ましくは新設側溝蓋１の厚さを既設側溝蓋の厚さよりも５ｍｍ以上薄く設定し、新設側溝蓋１の幅を既設側溝蓋の幅よりも２０ｍｍ以上短く設定する。
【００２５】
即ち、図３に示すように、コンクリート製の新設側溝蓋１の厚さ（上面１ａと下面１ｄ間の長さ）Ｈ１は、既設側溝蓋が嵌合していた左右蓋受部１４・１５の立ち上がり面１４ｂ・１５ｂの高さＨ２より５ｍｍ以上薄く設定し、確実に後記吊り下げ状態を形成する。又新設側溝蓋１の短手方向の幅（左端面１ｂと右端面１ｃ間の長さ）Ｔ１は、同じく既設側溝蓋が嵌合していた左蓋受部１４の立ち上がり面１４ｂと右蓋受部１５の立ち上がり面１５ｂとの間隔Ｔ２よりも２０ｍｍ以上短く設定し、後記する充填材１７の充填工程において、左蓋受部１４の立ち上がり面１４ｂと新設側溝蓋１の左側面１ｂ間に画成される空間の幅及び右蓋受部１５の立ち上がり面１５ｂと新設側溝蓋１の右側面１ｃ間に画成される空間の幅をそれぞれ１０ｍｍ以上確保し適切なる充填を図る。
【００２６】
又新設側溝蓋１の上面１ａに後記する吊り下げ治具２を取り付けるためのボルト孔１ｅを形成する。該ボルト孔１ｅは、例えば図１に示すように、新設側溝蓋１の製造時にインバートハンガー４をコンクリート内に埋設して形成する。
【００２７】
尚、本発明に係る改修工法に用いる新設側溝蓋１は、図１に示す単なる平板状のものだけでなく、外形が既設側溝蓋よりも薄厚且つ幅狭であり、後記吊り下げ治具２にて吊り下げることができれば、形状は実施に応じ任意である。
【００２８】
例えば、本発明に用いる新設側溝蓋１は、図２（Ａ）に示すような上面１ａに集水用スリット７を形成した側溝蓋１、同図（Ｂ）に示すような上面１ａに自動車に振動を与えドライバーに警告を促すための凸部８を形成した側溝蓋１、同図（Ｃ）に示すような上面１ａに小溝９を多数刻設して滑り止めを図った側溝蓋１、同図（Ｄ）に示すような二次蓋１´挿着用の開口部１０を備える側溝蓋（一次蓋）１等を含む。上記例示した各側溝蓋１の上面１ａには該各側溝蓋１の機能に支障が生じない箇所に後記吊り下げ治具２取付用のボルト孔１ｅを形成することは勿論である。
【００２９】
上記構成の本発明に用いる新設側溝蓋１の上面１ａに上記ボルト孔１ｅを利用して、後記するように既設側溝１１の左側壁１２の上端面１２ａと同右側壁１３の上端面１３ａ間に架橋する鋼製の吊り下げ治具２を該新設側溝蓋上面１ａの長手方向に沿って間隔を置いて複数取り付ける。
【００３０】
詳述すると、吊り下げ治具２に穿設した貫通孔２ｂにボルト３を挿通しつつ新設側溝蓋１のボルト孔１ｅに螺合して上記吊り下げ治具２の下面２ａを新設側溝蓋１の上面１ａに密着した状態で固定して取り付ける。当該ボルト締めによる取付によって吊り下げ治具２の脱着を容易にする。
【００３１】
上記吊り下げ治具２は、図示するように断面Ｌ形の棒状の鋼材にて形成したものであるが、本発明においては、上記のように新設側溝蓋１の上面１ａに密着し既設側溝１１の左右側壁１２・１３の上端面１２ａ・１３ａ間に架橋できる下面２ａを有するものであれば、特に吊り下げ治具２の形状・材質は問わない。形状は例えば角柱状、多角柱状、断面Ｕ形の棒状、断面Ｉ形の棒状等でも良い。又取り付ける吊り下げ治具２の数は複数であれば良く、特に限定しない。
【００３２】
好ましくは、図示するように、上記吊り下げ治具２に把手２ｃを設け、人力又はクレーンで新設側溝蓋１を容易に持ち上げられるようにする。
【００３３】
又上記ボルト３の頭部に図示の如くＴ字型の回転操作部３ａを設ければ、工具を使用せずとも容易にボルト３を締めたり緩めたりすることができる。
【００３４】
次に上記のように吊り下げ治具２を取り付けた新設側溝蓋１を吊り下げ状態にする工程について説明する。
【００３５】
図３に示すように、新設側溝蓋１を既設側溝１１の左右蓋受部１４・１５間の開口に向けて吊り降ろす。又好ましくは上記左右蓋受部１４・１５のそれぞれの底面１４ａ・１５ａの長手方向に沿って、例えばゴムパッキン等のシール材５、即ち後記する充填材１７の漏れ止めを図る材を連続して配設する。上記底面１４ａ・１５ａに破損個所がある場合には、当該破損個所の破損が微細なときにはシール材５で破損個所を覆いつつ配設し、当該破損個所の破損が大きなときには、図６に示すように、当該破損個所１８をモルタル等で修復した後にシール材５を配設する。
【００３６】
又は新設側溝蓋１の下面１ｄの上記左右蓋受部１４・１５のそれぞれの底面１４ａ・１５ａと対面する箇所に上記シール材５を貼付し長手方向に沿って配設する。
【００３７】
次いで、図４に示すように、吊り下げ治具２の左端部を既設側溝１１の左側壁１２の上端面１２ａ上に載置すると共に同吊り下げ治具２の右端部を既設側溝１１の右側壁１３の上端面１３ａ上に載置して、該吊り下げ治具２を既設側溝１１の上記左右側壁１２・１３の上端面１２ａ・１３ａ間に架橋する。
【００３８】
そして、上記架橋した吊り下げ治具２により新設側溝蓋１の上面１ａと上記左右側壁１２・１３の上端面１２ａ・１３ａとを面一にしつつ当該新設側溝蓋１を上記左右蓋受部１４・１５の立ち上がり面１４ｂ・１５ｂ間で吊り下げて支持する。従って上記左右蓋受部１４・１５に破損が生じている場合でも、上記左右側壁上端面１２ａ・１３ａが健全であれば、適切に新設側溝蓋１を吊り下げ状態にし容易且つ適切にレベルを調整できる。
【００３９】
この際には、好ましくはシール材５を左右蓋受部１４・１５の底面１４ａ・１５ａと新設側溝蓋１の下面１ｄ間に挾持し圧縮状態にし、該シール材５の弾性力により上記蓋受部の底面１４ａ・１５ａと新設側溝蓋１の下面１ｄ間を有効にシールする。尚本発明にあっては、上記のようにシール材５を圧縮せず、即ち該シール材５上面と新設側溝蓋下面１ｄ又は該シール材５下面と蓋受部底面１４ａ・１５ａとが軽く触れる程度にする場合、該シール材５上面と新設側溝蓋下面１ｄ又は該シール材５下面と蓋受部底面１４ａ・１５ａを１ｍｍに満たない僅かな間隔を介して対面させることを排除しない。シール材５の厚さを適宜調整し現場に応じたシール作業を行う。
【００４０】
次に充填材１７を充填する工程について説明すると、図５に示すように、上記吊り下げ状態の新設側溝蓋１の左端面１ｂと上記左蓋受部１４の立ち上がり面１４ｂ間に画成される空間及び同新設側溝蓋１の右端面１ｃと上記右蓋受部１５の立ち上がり面１５ｂ間に画成される空間に充填材１７を充填し当該新設側溝蓋１を固定する。
【００４１】
上記空間はそれぞれ既設側溝１１の長手方向に延びる細長状の空間であり、該空間の長手方向に沿って充填材１７を充填する。尚既設側溝１１の左右蓋受部１４・１５の立ち上がり面１４ｂ・１５ｂに欠けや割れ等の破損がある場合には、当該破損個所を同時に充填材１７にて埋めて修復する。
【００４２】
該充填材１７としては例えば普通モルタル又は無収縮モルタルを使用し、好ましくは速硬性の無収縮モルタルを使用する。本発明に係る改修工法によれば、上記細長状の空間に充填する充填材１７が硬化すれば、すぐに現場を開放することができる。
【００４３】
尚、既述したように、新設側溝蓋１の下面１ｄとシール材５上面間又は蓋受部底面１４ａ・１５ａとシール材５下面間に僅かな間隔が存していても、当該間隔は１ｍｍに満たない程度であり、当該間隔から充填材１７が既設側溝１１の内部に漏れ出ることはない。
【００４４】
図６は、既設側溝１１の右側壁１３の上端面１３ａが破損している場合の本工程の説明図である。このような場合には破損している上端面１６と吊り下げ治具２の右端部の下面２ａ間に楔６を打ち込み新設側溝蓋１を嵩上げしてレベル調整を図る。既設側溝１１の左側壁１２の上端面１２ａ、左側壁１２の上端面１２ａと右側壁１３の上端面１３ａの双方が破損している場合も同様である。又既述したように、蓋受部１４・１５の底面１４ａ・１５ａが大きく破損している場合には、図６に示すように、当該破損個所１８をモルタル等で修復し、その上にシール材５を配設する。
【００４５】
最後に、図７に示すように、全ての吊り下げ治具２及び同吊り下げ治具２を固定しているボルト３を取り除けば、新設側溝蓋１の上面１ａと既設側溝１１の左右側壁１２・１３の上端面１２ａ・１３ａが面一になった状態で新設側溝蓋１が配設され、改修工事が終了する。尚新設側溝蓋１の上面１ａに形成されているボルト孔１ｅは必要に応じて充填材等により塞ぐ。又は蓄光機能や反射機能を有するキャップで塞ぐ。
【００４６】
以上述べたように、本発明に係る改修工法にあっては、既設側溝１１の左右側壁１２・１３の上端面１２ａ・１３ａ間に架橋する吊り下げ治具２により新設側溝蓋１を吊り下げ支持し、該新設側溝蓋１のレベル調整を容易且つ適切に行いながら改修工事を行うことができる。
【００４７】
又既設側溝１１の左右蓋受部１４・１５の何れか又は双方が破損していても左右側壁上端面１２ａ・１３ａが健全であれば、左右蓋受部１４・１５の損傷状態を問わず改修作業を行うことができる。
【００４８】
又上記左右側壁上端面１２ａ・１３ａの何れか又は双方が破損している場合でも、新設側溝蓋１の上面１ａ側、即ち外方に露出している側から新設側溝蓋１のレベル調整を行うことができ、適切に改修作業が行える。
【符号の説明】
【００４９】
１…新設側溝蓋、１´…二次蓋、１ａ…上面、１ｂ…左端面、１ｃ…右端面、１ｄ…下面、１ｅ…ボルト孔、２…吊り下げ治具、２ａ…下面、２ｂ…貫通孔、２ｃ…把手、３…ボルト、３ａ…回転操作部、４…インバートハンガー、５…シール材、６…楔、７…集水用スリット、８…凸部、９…小溝、１０…開口部、１１…既設側溝、１２…左側壁、１２ａ…上端面、１３…右側壁、１３ａ…上端面、１４…左蓋受部、１４ａ…底面、１４ｂ…立ち上がり面、１５…右蓋受部、１５ａ…底面、１５ｂ…立ち上がり面、１６…破損した上端面、１７…充填材、１８…蓋受部底面の破損個所。
【図１】
2015108217.tif 000003
【図２】
2015108217.tif 000004
【図３】
2015108217.tif 000005
【図４】
2015108217.tif 000006
【図５】
2015108217.tif 000007
【図６】
2015108217.tif 000008
【図７】
2015108217.tif 000009